(57)【特許請求の範囲】
【請求項１】
整流部と、主光源ブロックと、副光源ブロックとを備え、
前記整流部は、正弦波の交流電圧を整流して一対の出力端子から脈流電圧を出力するように構成され、
前記主光源ブロックは、複数の主光源部と、複数の限流部とを有し、
複数の前記主光源部は、複数の発光ダイオードが電気的に直列接続されたＬＥＤアレイを有し、前記一対の出力端子間に電気的に直列接続されるように構成され、
複数の前記限流部のそれぞれは、複数の前記主光源部と個別且つ電気的に直列接続されて前記主光源部に流れる電流を限流し、前記主光源部と電気的に直列接続されない側の端子が前記整流部の何れか一方の前記出力端子と電気的且つ共通に接続されるように構成され、
前記副光源ブロックは、副光源部と、定電流部とを有し、
前記副光源部は、複数の発光ダイオードが電気的に直列接続されたＬＥＤアレイを有し、
前記定電流部は、前記副光源部の前記ＬＥＤアレイに流れる電流を定電流化するように構成され、
前記副光源部と前記定電流部の直列回路が、前記整流部の前記一対の出力端子に対して、前記主光源ブロックと電気的に並列接続されるように構成され、
複数の前記主光源部のうち、前記副光源ブロックと直接且つ電気的に接続される特定の前記主光源部に、平滑用のコンデンサが電気的に並列接続され、
前記副光源部が有する前記ＬＥＤアレイは、前記特定の主光源部が有する前記ＬＥＤアレイの一部として構成されることを特徴とする照明装置。
【請求項２】
前記特定の主光源部は、電気的に直列接続された少なくとも２つのＬＥＤアレイを有し、
前記副光源部が有する前記ＬＥＤアレイの正極と、前記少なくとも２つのＬＥＤアレイのうちの高電位側のＬＥＤアレイの正極とが電気的に接続されていることを特徴とする請求項１記載の照明装置。
【請求項３】
前記主光源ブロック及び前記副光源ブロックに流れる電流のピークを抑制する抑制部を備えることを特徴とする請求項１又は２記載の照明装置。
【請求項４】
前記副光源ブロックは、前記副光源部に電流が流れない期間に、前記整流部の前記出力端子間に電流を流すブリーダ部を有し、前記ブリーダ部は、前記副光源部に電流が流れる期間に前記電流を流さないように構成されることを特徴とする請求項１〜３の何れか１項に記載の照明装置。
【請求項５】
前記ＬＥＤアレイが実装される実装基板を備え、前記ＬＥＤアレイは、流れる電流が大きい程、前記発光ダイオード同士の間隔が広くなるように前記実装基板に実装されることを特徴とする請求項１〜４の何れか１項に記載の照明装置。
【請求項６】
請求項１〜５の何れかの照明装置と、前記照明装置を保持する器具本体とを備えることを特徴とする照明器具。
【発明の詳細な説明】
【技術分野】
【０００１】
本発明は、固体発光素子を光源とする照明装置、並びに当該照明装置を備えた照明器具に関する。
【背景技術】
【０００２】
従来例として特許文献１記載の発光ダイオード点灯装置を例示する。この従来例は、整流回路と、発光ダイオード回路と、電流制限用抵抗素子と、点灯制御回路とを備える。整流回路は、実効値が１００Ｖの正弦波交流電源から入力する交流電圧を全波整流した脈流電圧を出力するように構成される。発光ダイオード回路は、複数の発光ダイオードが同一方向に直列接続されて構成される。また、発光ダイオード回路は、複数の発光ダイオードが各アノードを整流回路の高電位側に向けると共に、各カソードをグランド側に向けて直列接続される。さらに、発光ダイオード回路は、複数の発光ダイオードのうち連続する所定数の発光ダイオードを単位として複数のグループ（第１のダイオード回路〜第６のダイオード回路）に分割されている。電流制限用抵抗素子は、整流回路と発光ダイオード回路との間に接続されて発光ダイオード回路に流れる電流を制限する。
【０００３】
点灯制御回路は、各ダイオード回路と各別に直列接続される第１〜第５の駆動スイッチ素子を有する。そして、点灯制御回路は、整流回路から出力される脈流電圧の瞬時値に対応して、第１〜第５の駆動スイッチ素子を順番にオン・オフすることにより、第１〜第６のダイオード回路を段階的に点灯させる。
【０００４】
特許文献１記載の従来例は、脈流電圧の瞬時値に対応して発光ダイオードの点灯個数を増減させることにより、直列接続した複数の発光ダイオードを簡単な回路構成で効率よく点灯制御することができる。
【先行技術文献】
【特許文献】
【０００５】
【特許文献１】特開２００６−１４７９３３号公報
【発明の概要】
【発明が解決しようとする課題】
【０００６】
しかしながら、特許文献１記載の従来例では、発光ダイオードの点灯個数の増減に対応して光量が変動するので、光のちらつきが問題になる場合が有る。特に、ビデオカメラで撮像される映像において、画面の明るさが頻繁に変動することは好ましくない。
【０００７】
一方、整流回路の出力端子間に平滑コンデンサが接続されて脈流電圧が平滑される場合、入力電流の休止期間が増加することで力率が低下したり、交流電源の投入時に平滑コンデンサを介して過大な突入電流が流れてしまうという問題が生じる。
【０００８】
本発明は、上記課題に鑑みて為されたものであり、力率低下などの不具合を抑制しつつ光出力の均斉化を図ることを目的とする。
【課題を解決するための手段】
【０００９】
本発明の照明装置は、整流部と、主光源ブロックと、副光源ブロックとを備え、前記整流部は、正弦波の交流電圧を整流して一対の出力端子から脈流電圧を出力するように構成され、前記主光源ブロックは、複数の主光源部と、複数の限流部とを有し、複数の前記主光源部は、複数の発光ダイオードが電気的に直列接続されたＬＥＤアレイを有し、前記一対の出力端子間に電気的に直列接続されるように構成され、複数の前記限流部のそれぞれは、複数の前記主光源部と個別且つ電気的に直列接続されて前記主光源部に流れる電流を限流し、前記主光源部と電気的に直列接続されない側の端子が前記整流部の何れか一方の前記出力端子と電気的且つ共通に接続されるように構成され、前記副光源ブロックは、副光源部と、定電流部とを有し、前記副光源部は、複数の発光ダイオードが電気的に直列接続されたＬＥＤアレイを有し、前記定電流部は、前記副光源部の前記ＬＥＤアレイに流れる電流を定電流化するように構成され、前記副光源部と前記定電流部の直列回路が、前記整流部の前記一対の出力端子に対して、前記主光源ブロックと電気的に並列接続されるように構成され、複数の前記主光源部のうち、前記副光源ブロックと直接且つ電気的に接続される特定の前記主光源部に、平滑用のコンデンサが電気的に並列接続され、前記副光源部が有する前記ＬＥＤアレイは、前記特定の主光源部が有する前記ＬＥＤアレイの一部として構成されることを特徴とする。
【００１０】
本発明の照明器具は、前記何れかの照明装置と、前記照明装置を保持する器具本体とを備えることを特徴とする。
【発明の効果】
【００１１】
本発明の照明装置及び照明器具は、力率低下などの不具合を抑制しつつ光出力の均斉化を図ることができるという効果がある。
【図面の簡単な説明】
【００１２】
【図１】本発明に係る照明装置の実施形態１を示す回路構成図である。
【図２】同上の動作説明用の波形図である。
【図３】本発明に係る照明装置の実施形態２を示す回路構成図である。
【図４】同上の動作説明用の波形図である。
【図５】本発明に係る照明装置の実施形態３を示す回路構成図である。
【図６】同上の動作説明用の波形図である。
【図７】本発明に係る照明装置の実施形態４を示す回路構成図である。
【図８】同上の動作説明用の波形図である。
【図９】本発明に係る照明装置の実施形態５を示す回路構成図である。
【図１０】同上の動作説明用の波形図である。
【図１１】同上を示す外観斜視図である。
【図１２】本発明に係る照明器具の実施形態６を示す斜視図である。
【発明を実施するための形態】
【００１３】
（実施形態１）
本発明に係る照明装置の実施形態１について、図１及び図２を参照して詳細に説明する。
【００１４】
本実施形態の照明装置は、図１に示すように、整流部１と、主光源ブロック２と、副光源ブロック３とを備える。
【００１５】
整流部１はダイオードブリッジで構成され、一対の入力端子１０Ａ、１０Ｂと、一対の出力端子１１Ａ、１１Ｂとを有する。一対の入力端子１０Ａ、１０Ｂ間に、交流電源４が電気的に接続される。ただし、整流部１の入力端子１０Ａと交流電源４との間にヒューズ５が挿入されても構わない。
【００１６】
交流電源４は、例えば、実効値が１００Ｖ（ボルト）の正弦波の交流電圧を供給する。したがって、整流部１の出力端子１１Ａ、１１Ｂ間からは、最大値（ピーク値）が１００×√２≒１４１Ｖの正弦波の脈流電圧が出力される。ただし、整流部１は、一方の出力端子１１Ｂに対して、他方の出力端子１１Ａが高電位となるように構成されることが好ましい。
【００１７】
主光源ブロック２と副光源ブロック３は、整流部１の出力端子１１Ａ、１１Ｂに対して、互いに電気的且つ並列に接続される。
【００１８】
主光源ブロック２は、第１主光源部２０Ａ及び第２主光源部２０Ｂ、第１限流部２１Ａ及び第２限流部２１Ｂ、コンデンサＣ２、Ｃ３などを有する。第１主光源部２０Ａは、複数個（図示例では２個）の発光ダイオード（ＬＥＤ）２００Ａ、２０１Ａが電気的に直列接続されたＬＥＤアレイで構成される。このＬＥＤアレイ（第１主光源部２０Ａ）は、ＬＥＤ２００Ａのアノードを正極、ＬＥＤ２０１Ａのカソードを負極とし、負極に対する正極の電位が基準電圧以上であるときに電流が流れて発光（点灯）するように構成される。なお、基準電圧は、ＬＥＤアレイを構成するＬＥＤ２００Ａ、２０１Ａの順方向電圧の総和に等しい。本実施形態において、第１主光源部２０Ａの基準電圧Ｖｆ１は、例えば、１００Ｖに設定されることが好ましい。コンデンサＣ２は、平滑用のコンデンサであって、第１主光源部２０Ａと電気的に並列接続される。
【００１９】
また、第２主光源部２０Ｂは、複数個（図示例では２個）のＬＥＤ２００Ｂ、２０１Ｂが電気的に直列接続されたＬＥＤアレイで構成される。このＬＥＤアレイ（第２主光源部２０Ｂ）は、ＬＥＤ２００Ｂのアノードを正極、ＬＥＤ２０１Ｂのカソードを負極とし、負極に対する正極の電位が基準電圧以上であるときに電流が流れて発光（点灯）するように構成される。なお、基準電圧は、ＬＥＤアレイを構成するＬＥＤ２００Ｂ、２０１Ｂの順方向電圧の総和に等しい。本実施形態において、第２主光源部２０Ｂの基準電圧Ｖｆ２は、第１主光源部２０Ａの基準電圧Ｖｆ１との合計電圧が脈流電圧の最大値以下、例えば、１２０Ｖになるように設定されることが好ましい。つまり、基準電圧Ｖｆ１が１００Ｖであれば、基準電圧Ｖｆ２は２０Ｖに設定されることが好ましい。コンデンサＣ３は、サージ抑制用のコンデンサであって、第２主光源部２０Ｂと電気的に並列接続される。
【００２０】
第１限流部２１Ａは、トランジスタＭ２及びシャントレギュレータＵ２を用いた定電流回路で構成される。トランジスタＭ２は、例えば、ｎチャネル型のＭＯＳＦＥＴ（metal-oxide-semiconductor field-effect transistor）で構成されるが、ｎｐｎ型のバイポーラトランジスタで構成されても構わない。
【００２１】
トランジスタＭ２のドレインが第１主光源部２０Ａの負極（ＬＥＤ２０１Ａのカソード）と電気的に接続され、トランジスタＭ２のソースが、抵抗Ｒ３及び抵抗Ｒ２３の一端と電気的に接続される。また、トランジスタＭ２のゲートが２つの抵抗Ｒ２１、Ｒ２２の直列回路の接続点と電気的に接続される。シャントレギュレータＵ２のカソードが抵抗Ｒ２２の一端とコンデンサＣ１２の一端とに電気的に接続され、シャントレギュレータＵ２のアノードが抵抗Ｒ３の一端と電気的に接続される。また、シャントレギュレータＵ２のリファレンス端子がコンデンサＣ１２の他端と抵抗Ｒ２３の他端に電気的に接続される。抵抗Ｒ２１は、トランジスタＭ２のゲートをバイアスするための抵抗である。なお、抵抗Ｒ２２、Ｒ２３及びコンデンサＣ１２は、シャントレギュレータＵ２の応答特性を設定するためのフィルタ回路を構成している。
【００２２】
この第１限流部２１Ａは、抵抗Ｒ３の両端に発生する電圧（電圧降下）と、シャントレギュレータＵ２の基準電圧とを一致させるように、カソード電流（ゲート電圧）を増減してトランジスタＭ２のドレイン電流を限流（定電流化）する。シャントレギュレータＵ２の基準電圧は、例えば、１．２４Ｖである。抵抗Ｒ３の抵抗値を１０Ωとすると、シャントレギュレータＵ２は、抵抗Ｒ１の両端電圧が１．２４Ｖとなる電流（＝０．１２４Ａ）を流すようにトランジスタＭ２を制御する。
【００２３】
ここで、第１限流部２１Ａは、容量性負荷であるコンデンサＣ２の影響で出力電流（トランジスタＭ２のドレイン電流。以下、同じ。）が不安定になりやすいため、上記フィルタ回路によって出力電流の安定化及び発振の抑制を図っている。
【００２４】
第２限流部２１Ｂは、第１限流部２１Ａと同様に、トランジスタＭ３及びシャントレギュレータＵ３を用いた定電流回路で構成される。なお、第２限流部２１Ｂの回路構成は、各素子に付している符号が異なる点を除いて、第１限流部２１Ａと共通である。故に、第２限流部２１Ｂに関する詳細な説明は省略する。
【００２５】
整流部１の出力端子１１Ａ、１１Ｂ間に、第１主光源部２０Ａと第１限流部２１Ａの直列回路が電気的に接続される。また、第１限流部２１Ａに対して、第２主光源部２０Ｂと第２限流部２１Ｂの直列回路が電気的に並列接続される。
【００２６】
副光源ブロック３は、副光源部３０、定電流部３１、コンデンサＣ１、抵抗Ｒ９などを有する。副光源部３０は、複数個（図示例では２個）のＬＥＤ３００、３０１が電気的に直列接続されたＬＥＤアレイで構成される。このＬＥＤアレイ（副光源部３０）は、ＬＥＤ３００のアノードを正極、ＬＥＤ３０１のカソードを負極とし、負極に対する正極の電位が基準電圧以上であるときに電流が流れて発光（点灯）するように構成される。なお、基準電圧は、ＬＥＤアレイを構成するＬＥＤ３００、３０１の順方向電圧の総和に等しい。本実施形態において、副光源部３０の基準電圧Ｖｆ３は、第１主光源部２０Ａの基準電圧Ｖｆ１の半分以下、例えば、５０Ｖに設定されることが好ましい。コンデンサＣ１は、平滑用のコンデンサであって、副光源部３０と電気的に並列接続される。また、抵抗Ｒ９は、副光源部３０及びコンデンサＣ１と電気的に並列接続され、コンデンサＣ１の充電電荷を放電させるように構成される。
【００２７】
なお、抵抗Ｒ９は、コンデンサＣ１の静電容量が相対的に小さい値のときは省略されても良い。ただし、本実施形態の照明装置と交流電源４との間に、位置表示灯付きの壁スイッチが接続された場合、当該壁スイッチのオフ時にも微少な電流が流れて位置表示灯が点灯する。このとき、前記微少な電流で副光源部３０が点灯することを避けるため、抵抗Ｒ９が副光源部３０と電気的に並列接続されることが望ましい。例えば、前記微少な電流の大きさを１ｍＡとしたとき、副光源部３０を点灯させないためには、抵抗Ｒ９における電圧降下が基準電圧Ｖｆ３の２分の１以下であることが望ましい。すなわち、抵抗Ｒ９の抵抗値は、（５０Ｖ／２）／１ｍＡ＝２５ｋΩ以下、例えば、２４ｋΩに設定されることが好ましい。
【００２８】
定電流部３１は、第１限流部２１Ａや第２限流部２１Ｂと同様に、トランジスタＭ１及びシャントレギュレータＵ１を用いた定電流回路で構成される。なお、定電流部３１の回路構成は、各素子に付している符号が異なる点を除いて、第１限流部２１Ａと共通である。故に、定電流部３１に関する詳細な説明は省略する。
【００２９】
副光源ブロック３は、整流部１の出力端子１１Ａ、１１Ｂ間に、主光源ブロック２と並列且つ電気的に接続される。ただし、主光源ブロック２と副光源ブロック３の間には、カソードを主光源ブロック２側として整流素子（ダイオードＤ５）が挿入されている。
【００３０】
ダイオードＤ５は、コンデンサＣ２に蓄積される電荷が、トランジスタＭ２の寄生ダイオードを経由して放電されることを阻止するために設けられる。すなわち、定電流部３１のトランジスタＭ１のソース・ドレイン間の電圧がコンデンサＣ２の両端電圧よりも低くなると、コンデンサＣ２の充電電荷が、トランジスタＭ１から抵抗Ｒ３及びトランジスタＭ２の寄生ダイオードを介して放電されることがある。故に、トランジスタＭ２にＭＯＳＦＥＴが使用される場合、前記放電経路中のどこかにダイオードＤ５が挿入されることが好ましい。
【００３１】
ところで、第１限流部２１Ａと第２限流部２１Ｂと定電流部３１とは、互いに影響を及ぼし合って動作する。つまり、定電流部３１の抵抗Ｒ１には、定電流部３１の出力電流だけでなく、第１限流部２１Ａ及び第２限流部２１Ｂの出力電流も流れる。つまり、第１限流部２１Ａ又は第２限流部２１Ｂの出力電流が増加して抵抗Ｒ１の両端電圧が上昇することにより、定電流部３１の出力電流が減少する。そして、第１限流部２１Ａ及び第２限流部２１Ｂの出力電流による抵抗Ｒ１の電圧降下（両端電圧）がシャントレギュレータＵ１の基準電圧に達してしまうと、定電流部３１が停止する。
【００３２】
同様に、第１限流部２１Ａの抵抗Ｒ３には、第１限流部２１Ａの出力電流だけでなく、第２限流部２１Ｂの出力電流も流れる。つまり、第２限流部２１Ｂの出力電流が増加して抵抗Ｒ３の両端電圧が上昇することにより、第１限流部２１Ａの出力電流が減少する。そして、第２限流部２１Ｂの出力電流による抵抗Ｒ３の電圧降下（両端電圧）がシャントレギュレータＵ２の基準電圧に達してしまうと、第１限流部２１Ａが停止する。
【００３３】
次に、図１の回路構成図及び図２の波形図を参照して、本実施形態の照明装置の動作を説明する。ただし、以下に説明する動作は、整流部１の出力電圧（脈流電圧）の１周期、すなわち、交流電源４の電源電圧の半周期における動作であって、脈流電圧の１周期毎に繰り返される。
【００３４】
図２において、Ｗ０は主光源ブロック２と副光源ブロック３の消費電力の合計値、Ｉｆ３は副光源部３０に流れる電流を示し、Ｉｆ１は第１主光源部２０Ａに流れる電流を示し、Ｉｆ２は第２主光源部２０Ｂに流れる電流を示している。また、図２におけるＩinは、交流電源４から整流部１の入力端子１０Ａ、１０Ｂに流れ込む入力電流を示している。
【００３５】
時刻ｔ＝ｔ０は脈流電圧（交流電源４の電源電圧）のゼロクロス点であり、整流部１の出力電圧（脈流電圧）が０Ｖとなる。ゼロクロス点の近辺では、脈流電圧が副光源部３０の基準電圧Ｖｆ３（＝５０Ｖ）よりも低いため、交流電源４からの入力電流Ｉinは０Ａとなる。ただし、第１主光源部２０Ａと副光源部３０は、それぞれコンデンサＣ２、Ｃ１の充電電荷の放電によって電流Ｉｆ１、Ｉｆ３が流れて点灯する。
【００３６】
整流部１の出力電圧が上昇して基準電圧Ｖｆ３を越えると（時刻ｔ＝ｔ１）、定電流部３１が動作し、副光源部３０に電流Ｉｆ３を流して点灯させる。したがって、交流電源４から入力電流Ｉinが流れ込む。
【００３７】
整流部１の出力電圧が上昇して基準電圧Ｖｆ１（＝１００Ｖ）を越えると（時刻ｔ＝ｔ２）、第１限流部２１Ａが動作し、第１主光源部２０Ａに電流Ｉｆ１を流して点灯させる。定電流部３１は、抵抗Ｒ１に電流Ｉｆ３と電流Ｉｆ１が流れることで停止する。ただし、副光源部３０は、コンデンサＣ１の充電電荷の放電によって電流Ｉｆ３が流れるため、引き続き点灯する。
【００３８】
整流部１の出力電圧が上昇して基準電圧Ｖｆ１とＶｆ２の和（＝１２０Ｖ）を越えると（時刻ｔ＝ｔ３）、第２限流部２１Ｂが動作し、第１主光源部２０Ａと第２主光源部２０Ｂに電流Ｉｆ１、Ｉｆ２を流して点灯させる。第１限流部２１Ａ及び定電流部３１は、それぞれ抵抗Ｒ３、Ｒ１に電流Ｉｆ１と電流Ｉｆ２が流れることで停止する。
【００３９】
整流部１の出力電圧が最大値を過ぎて基準電圧Ｖｆ１とＶｆ２の和を下回ると（時刻ｔ＝ｔ４）、第２限流部２１Ｂが停止し、第１限流部２１Ａが動作する。第２限流部２１Ｂが停止すると、第２主光源部２０Ｂには、コンデンサＣ３の充電電荷が放電される間、電流Ｉｆ２が継続して流れる。また、第１限流部２１Ａが動作すると、交流電源４からの入力電流Ｉinにより、第１主光源部２０Ａに電流Ｉｆ１が流れて点灯する。
【００４０】
整流部１の出力電圧が下降して基準電圧Ｖｆ１を下回ると（時刻ｔ＝ｔ５）、第１限流部２１Ａが停止し、定電流部３１が動作する。第１限流部２１Ａが停止すると、コンデンサＣ２の充電電荷が放電されて第１主光源部２０Ａに継続して電流Ｉｆ１が流れる。また、定電流部３１が動作すると、交流電源４からの入力電流Ｉinにより、副光源部３０に電流Ｉｆ３が流れて点灯する。
【００４１】
整流部１の出力電圧がさらに下降して基準電圧Ｖｆ３を下回ると（時刻ｔ＝ｔ６）、定電流部３１が停止する。定電流部３１が停止すると、コンデンサＣ１の充電電荷が放電されて第１主光源部２０Ａに継続して電流Ｉｆ１が流れる。
【００４２】
本実施形態の照明装置では、第１主光源部２０Ａに対して平滑用のコンデンサＣ２が電気的に並列接続されている。そして、このコンデンサＣ２の平滑作用により、電源電圧（整流部１の出力電圧）が基準電圧Ｖｆ１より低い期間においても、第１主光源部２０Ａに電流を流して点灯させることができる。また、副光源ブロック３が主光源ブロック２と電気的に並列接続されており、電源電圧（整流部１の出力電圧）が基準電圧Ｖｆ１より低い期間においても、副光源ブロック３に入力電流Ｉinを引き込むことができ、その結果、力率の低下が抑えられる。さらに、電源電圧（整流部１の出力電圧）が基準電圧Ｖｆ１より低い期間では、第１主光源部２０Ａだけでなく副光源部３０も点灯するので、光出力の均斉化が図られる。
【００４３】
ところで、平滑用に用いられるコンデンサは、通常、容量（静電容量）が大きくなる程、外形寸法も大きくなってしまう。したがって、照明装置の小型化を図るためには、コンデンサＣ２として、できるだけ容量の小さいコンデンサが用いられることが好ましい。
【００４４】
そして、小容量のコンデンサＣ２でも効率的に第１主光源部２０Ａの光リップル（光量の変動）が抑えられるようにするには、コンデンサＣ２が脈流電圧で充電される期間と、コンデンサＣ２から放電される期間とが等しいことが好ましい。
【００４５】
ここで、コンデンサＣ２の充電期間及び放電期間は、第１主光源部２０Ａの基準電圧Ｖｆ１と整流部１の出力電圧との大小関係によって決まる。例えば、交流電源４が実効値１００Ｖの正弦波の交流電圧を出力している場合、４５度（π／４）〜１３５度（３π／４）の位相範囲で脈流電圧が電源電圧の実効値を越える。したがって、第１主光源部２０Ａの基準電圧Ｖｆ１が１００Ｖに設定されれば、コンデンサＣ２の充電期間と放電期間が等しくなり、第１主光源部２０Ａの光リップルが最もよく抑えられる。
【００４６】
一方、第１主光源部２０Ａの基準電圧Ｖｆ１が１００Ｖより低い場合、第１主光源部２０Ａの光リップルが増加してしまう。そして、光リップルを低減するためには、さらに平滑用のコンデンサが追加されなくてはならない。
【００４７】
また、第１主光源部２０Ａの基準電圧Ｖｆ１が１００Ｖよりも高い場合、第１主光源部２０Ａの点灯期間が短縮され、且つ第１主光源部２０Ａの消灯期間が伸長されるので、光の均斉化のために、コンデンサＣ２の容量が増大される必要がある。
【００４８】
したがって、上記２つの場合を比較すると、１つのコンデンサＣ２で平滑可能であるから、後者の場合の方が好ましい。故に、第１主光源部２０Ａの基準電圧Ｖｆ１は、４０度〜６０度の位相範囲で整流部１（交流電源４）から給電されるように設定されることが好ましい。
【００４９】
ただし、第１主光源部２０Ａの基準電圧Ｖｆ１が１００Ｖよりも高く設定されると、入力電流Ｉinが流れない期間（休止期間）が長くなって力率が低下してしまう。これに対して、本実施形態の照明装置では、整流部１の出力端子１１Ａ，１１Ｂに対して、主光源ブロック２と並列に副光源ブロック３が電気的に接続される。つまり、脈流電圧が第１主光源部２０Ａの基準電圧Ｖｆ１を下回っている期間に、副光源ブロック３が電流Ｉｆ３を流して入力電流Ｉinを引き込むので、力率や入力電流歪の改善が図られる。さらに、副光源ブロック３が点灯することにより、脈流電圧の１周期内における光出力の最低値が引き上げられるという利点もある。
【００５０】
なお、副光源ブロック３が２つ以上の副光源部３０及び定電流部３１の直列回路を有し、脈流電圧に応じて、点灯する副光源部３０の数を変更するように構成されれば、入力電流歪がさらに改善される。
【００５１】
上述のように本実施形態の照明装置は、整流部１と、主光源ブロック２と、副光源ブロック３とを備える。整流部１は、正弦波の交流電圧を整流して一対の出力端子１１Ａ、１１Ｂから脈流電圧を出力するように構成される。主光源ブロック２は、複数の主光源部（第１主光源部２０Ａと第２主光源部２０Ｂ）と、複数の限流部（第１限流部２１Ａと第２限流部２１Ｂ）とを有する。複数の主光源部２０Ａ、２０Ｂは、複数の発光ダイオード２００Ａ、２０１Ａ、２００Ｂ、２０１Ｂが電気的に直列接続されたＬＥＤアレイを有し、一対の出力端子１１Ａ、１１Ｂ間に電気的に直列接続されるように構成される。複数の限流部２１Ａ、２１Ｂのそれぞれは、複数の主光源部２０Ａ、２０Ｂと個別且つ電気的に直列接続されて主光源部２０Ａ、２０Ｂに流れる電流を限流するように構成される。また、複数の限流部２１Ａ、２１Ｂのそれぞれは、主光源部２０Ａ、２０Ｂと電気的に直列接続されない側の端子が整流部１の何れか一方の出力端子１１Ｂと電気的且つ共通に接続されるように構成される。副光源ブロック３は、副光源部３０と、定電流部３１とを有する。副光源部３０は、複数の発光ダイオード３００、３０１が電気的に直列接続されたＬＥＤアレイを有する。定電流部３１は、副光源部３０の前記ＬＥＤアレイに流れる電流を定電流化するように構成される。副光源部３０と定電流部３１の直列回路が、整流部１の一対の出力端子１１Ａ、１１Ｂに対して、主光源ブロック２と電気的に並列接続されるように構成される。複数の主光源部２０Ａ、２０Ｂのうち、副光源ブロック３と直接且つ電気的に接続される特定の主光源部（第１主光源部２０Ａ）に、平滑用のコンデンサＣ２が電気的に並列接続される。
【００５２】
本実施形態の照明装置は上述のように構成され、特定の主光源部２０Ａに電気的且つ並列に接続される平滑用のコンデンサＣ２により、光出力の均斉化が図られる。また、主光源ブロック２と電気的に並列接続された副光源ブロック３が脈流電圧の谷部で入力電流Ｉinを引き込むので、力率の低下が抑えられる。その結果、本実施形態の照明装置は、力率低下などの不具合を抑制しつつ光出力の均斉化を図ることができる。
【００５３】
（実施形態２）
本発明に係る照明装置の実施形態２について、図３及び図４を参照して説明する。ただし、本実施形態の照明装置は、実施形態１の照明装置と基本的な構成が共通している。したがって、実施形態１の照明装置と共通の構成要素には同一の符号を付して説明を省略する。
【００５４】
本実施形態の照明装置は、第１光源部２Ａと副光源部３０の構成に特徴がある。
【００５５】
第１光源部２Ａは、図３に示すように、２つのＬＥＤ２００Ａ、２０１Ａの直列回路（第１ＬＥＤアレイ）に加えて、４つのＬＥＤ２０２Ａ、２０３Ａ、２０４Ａ、２０５Ａの直並列回路を有する。前記直並列回路は、２つのＬＥＤ２０２Ａ、２０３Ａの直列回路（第２ＬＥＤアレイ）と、２つのＬＥＤ２０４Ａ、２０５Ａの直列回路（第３ＬＥＤアレイ）との並列回路で構成される。そして、第１ＬＥＤアレイと、第２ＬＥＤアレイ及び第３ＬＥＤアレイの並列回路とが電気的に直列接続される。また、コンデンサＣ２は、第１ＬＥＤアレイの正極（ＬＥＤ２００Ａのアノード）と、第２ＬＥＤアレイ及び第３ＬＥＤアレイの負極（ＬＥＤ２０３Ａ、２０５Ａのカソード）とに電気的に接続される。
【００５６】
副光源部３０は、実施形態１と同様に、２つのＬＥＤ３００、３０１が直列に接続されたＬＥＤアレイで構成される。ただし、副光源部３０の正極がＬＥＤ２００Ａのアノードと直接且つ電気的に接続され、副光源部３０の負極がダイオードＤ５を介して２つのＬＥＤ２０２Ａ、２０４Ａのアノードと直接且つ電気的に接続される。
【００５７】
すなわち、本実施形態の照明装置では、副光源部３０のＬＥＤアレイ（ＬＥＤ３００、３０１）が、第１主光源部２０Ａの第１ＬＥＤアレイと電気的に並列接続されており、第１主光源部２０Ａの一部として構成されている。
【００５８】
また、定電流部３１が動作しているときに、コンデンサＣ２の充電電荷がトランジスタＭ１を介して放電されないように、ダイオードＤ７が設けられている。ダイオードＤ７は、アノードを第１主光源部２０Ａ側として第１主光源部２０Ａと第１限流部２１Ａとの間に挿入される。
【００５９】
次に、図３の回路構成図及び図４の波形図を参照して、本実施形態の照明装置の動作を説明する。ただし、以下に説明する動作は、整流部１の出力電圧（脈流電圧）の１周期、すなわち、交流電源４の電源電圧の半周期における動作であって、脈流電圧の１周期毎に繰り返される。
【００６０】
図４において、Ｉｆ２は第２主光源部２０Ｂに流れる電流を示し、Ｉｆ３は副光源部３０に流れる電流を示している。また、ＩＤ７はダイオードＤ７に流れる電流、すなわち、第１主光源部２０Ａに流れる電流Ｉｆ１とコンデンサＣ２に流れる電流の合計を示している。さらに、Ｉinは、交流電源４から整流部１の入力端子１０Ａ、１０Ｂに流れ込む入力電流を示している。
【００６１】
時刻ｔ＝ｔ０は脈流電圧（交流電源４の電源電圧）のゼロクロス点であり、整流部１の出力電圧（脈流電圧）が０Ｖとなる。ゼロクロス点の近辺では、脈流電圧が副光源部３０の基準電圧Ｖｆ３（＝５０Ｖ）よりも低いため、交流電源４からの入力電流Ｉinは０Ａとなる。
【００６２】
整流部１の出力電圧が上昇して基準電圧Ｖｆ３を越えると（時刻ｔ＝ｔ１）、定電流部３１が動作し、副光源部３０に電流Ｉｆ３を流して点灯させる。したがって、交流電源４から入力電流Ｉinが流れ込む。
【００６３】
整流部１の出力電圧が上昇して基準電圧Ｖｆ１（＝１００Ｖ）を越えると（時刻ｔ＝ｔ２）、第１限流部２１Ａが動作し、第１主光源部２０Ａに電流Ｉｆ１を流して点灯させる。定電流部３１は、抵抗Ｒ１に電流Ｉｆ３と電流Ｉｆ１が流れることで停止する。ただし、副光源部３０は、第１限流部２１Ａにより、ダイオードＤ５を介して電流Ｉｆ３が流れるため、引き続き点灯する。
【００６４】
整流部１の出力電圧が上昇して基準電圧Ｖｆ１とＶｆ２の和（＝１２０Ｖ）を越えると（時刻ｔ＝ｔ３）、第２限流部２１Ｂが動作し、第１主光源部２０Ａと第２主光源部２０Ｂに電流Ｉｆ１、Ｉｆ２を流して点灯させる。第１限流部２１Ａ及び定電流部３１は、それぞれ抵抗Ｒ３、Ｒ１に電流Ｉｆ１と電流Ｉｆ２が流れることで停止する。
【００６５】
整流部１の出力電圧が最大値を過ぎて基準電圧Ｖｆ１とＶｆ２の和を下回ると（時刻ｔ＝ｔ４）、第２限流部２１Ｂが停止し、第１限流部２１Ａが動作する。第２限流部２１Ｂが停止すると、第２主光源部２０Ｂには、コンデンサＣ３の充電電荷が放電される間、電流Ｉｆ２が継続して流れる。また、第１限流部２１Ａが動作すると、交流電源４からの入力電流Ｉinにより、電流ＩＤ７が流れて第１主光源部２０Ａ及び副光源部３０が点灯する。
【００６６】
整流部１の出力電圧が下降して基準電圧Ｖｆ１を下回ると（時刻ｔ＝ｔ５）、第１限流部２１Ａが停止し、定電流部３１が動作する。第１限流部２１Ａが停止すると、コンデンサＣ２の充電電荷が放電されている間、第１主光源部２０Ａに電流Ｉｆ１が流れて点灯する。また、定電流部３１が動作すると、交流電源４からの入力電流Ｉinにより、副光源部３０に電流Ｉｆ３が流れて点灯する。
【００６７】
整流部１の出力電圧がさらに下降して基準電圧Ｖｆ３を下回ると（時刻ｔ＝ｔ６）、定電流部３１が停止する。定電流部３１が停止すると、コンデンサＣ１の充電電荷が放電されている間、第１主光源部２０Ａと副光源部３０に電流ＩＤ７が流れて点灯する。
【００６８】
上述のように本実施形態の照明装置において、副光源部３０が有するＬＥＤアレイは、特定の主光源部（第１主光源部２０Ａ）が有するＬＥＤアレイの一部として構成されることが好ましい。本実施形態の照明装置が上述のように構成されれば、上述のように構成されない場合と比較して、主光源ブロック２及び副光源ブロック３に使用されるＬＥＤの個数の削減を図ることができる。
【００６９】
（実施形態３）
本発明に係る照明装置の実施形態３について、図５及び図６を参照して説明する。ただし、本実施形態の照明装置は、実施形態１の照明装置と基本的な構成が共通している。したがって、実施形態１の照明装置と共通の構成要素には同一の符号を付して説明を省略する。
【００７０】
本実施形態の照明装置は、第２主光源部２０Ｂと電気的に並列接続されるコンデンサＣ３を平滑用のコンデンサとした点に特徴がある。具体的には、コンデンサＣ３の容量が、実施形態１におけるコンデンサＣ３の容量よりも大きい値とされている。また、コンデンサＣ３が平滑用のコンデンサとされたことに伴い、第１主光源部２０Ａと第２主光源部２０Ｂとの間にダイオードＤ６が挿入されている。このダイオードＤ６は、アノードを第１主光源部２０Ａ側として第１主光源部２０Ａと第２主光源部２０Ｂとの間に挿入されており、コンデンサＣ３の充電電荷が第１主光源部２０Ａの方へ逆流することを阻止している。
【００７１】
また、本実施形態の照明装置において、副光源部３０と定電流部３１との間には、アノードを副光源部３０側としてダイオードＤ９が挿入されている。さらに、抵抗Ｒ９が、整流部１の出力端子１１ＡとダイオードＤ９のカソードに電気的に接続されている。ダイオードＤ９は、コンデンサＣ１の放電電流がトランジスタＭ１の寄生ダイオードを介して逆流することを阻止するために設けられる。
【００７２】
次に、図５の回路構成図及び図６の波形図を参照して、本実施形態の照明装置の動作を説明する。ただし、以下に説明する動作は、整流部１の出力電圧（脈流電圧）の１周期、すなわち、交流電源４の電源電圧の半周期における動作であって、脈流電圧の１周期毎に繰り返される。
【００７３】
図６において、Ｉｆ２は第２主光源部２０Ｂに流れる電流を示し、Ｉｆ１は第１主光源部２０Ａに流れる電流を示し、Ｉｆ３は副光源部３０に流れる電流を示している。また、図６におけるＩinは、交流電源４から整流部１の入力端子１０Ａ、１０Ｂに流れ込む入力電流を示している。
【００７４】
時刻ｔ＝ｔ０は脈流電圧（交流電源４の電源電圧）のゼロクロス点であり、整流部１の出力電圧（脈流電圧）が０Ｖとなる。ゼロクロス点の近辺では、脈流電圧が副光源部３０の基準電圧Ｖｆ３（＝５０Ｖ）よりも低いため、交流電源４からの入力電流Ｉinは０Ａとなる。ただし、第１主光源部２０Ａ、第２主光源部２０Ｂ、副光源部３０は、それぞれコンデンサＣ２、Ｃ３、Ｃ１の充電電荷の放電によって電流Ｉｆ１、Ｉｆ２、Ｉｆ３が流れて点灯する。
【００７５】
整流部１の出力電圧が上昇して基準電圧Ｖｆ３を越えると（時刻ｔ＝ｔ１）、定電流部３１が動作し、副光源部３０に電流Ｉｆ３を流して点灯させる。したがって、交流電源４から入力電流Ｉinが流れ込む。
【００７６】
整流部１の出力電圧が上昇して基準電圧Ｖｆ１（＝１００Ｖ）を越えると（時刻ｔ＝ｔ２）、第１限流部２１Ａが動作し、第１主光源部２０Ａに電流Ｉｆ１を流して点灯させる。定電流部３１は、抵抗Ｒ１に電流Ｉｆ３と電流Ｉｆ１が流れることで停止する。ただし、副光源部３０は、コンデンサＣ１の充電電荷の放電によって電流Ｉｆ３が流れるため、引き続き点灯する。
【００７７】
整流部１の出力電圧が上昇して基準電圧Ｖｆ１とＶｆ２の和（＝１２０Ｖ）を越えると（時刻ｔ＝ｔ３）、第２限流部２１Ｂが動作し、第１主光源部２０Ａと第２主光源部２０Ｂに電流Ｉｆ１、Ｉｆ２を流して点灯させる。第１限流部２１Ａ及び定電流部３１は、それぞれ抵抗Ｒ３、Ｒ１に電流Ｉｆ１と電流Ｉｆ２が流れることで停止する。
【００７８】
整流部１の出力電圧が最大値を過ぎて基準電圧Ｖｆ１とＶｆ２の和を下回ると（時刻ｔ＝ｔ４）、第２限流部２１Ｂが停止し、第１限流部２１Ａが動作する。第２限流部２１Ｂが停止しても、第２主光源部２０Ｂは、コンデンサＣ３の充電電荷の放電によって電流Ｉｆ２が流れて点灯する。また、第１限流部２１Ａが動作すると、交流電源４からの入力電流Ｉinにより、第１主光源部２０Ａに電流Ｉｆ１が流れて点灯する。
【００７９】
整流部１の出力電圧が下降して基準電圧Ｖｆ１を下回ると（時刻ｔ＝ｔ５）、第１限流部２１Ａが停止し、定電流部３１が動作する。第１限流部２１Ａが停止すると、コンデンサＣ２の充電電荷が放電されて第１主光源部２０Ａに継続して電流Ｉｆ１が流れる。また、定電流部３１が動作すると、交流電源４からの入力電流Ｉinにより、副光源部３０に電流Ｉｆ３が流れて点灯する。
【００８０】
整流部１の出力電圧がさらに下降して基準電圧Ｖｆ３を下回ると（時刻ｔ＝ｔ６）、定電流部３１が停止する。定電流部３１が停止すると、コンデンサＣ１の充電電荷が放電されて第１主光源部２０Ａに継続して電流Ｉｆ１が流れる。
【００８１】
上述のように本実施形態の照明装置は、第２主光源部２０Ｂと電気的に並列接続されるコンデンサＣ３が平滑用のコンデンサとされたので、コンデンサＣ３が平滑用でない実施形態１と比較して、光リップルの低減を図ることができる。
【００８２】
（実施形態４）
本発明に係る照明装置の実施形態４について、図７及び図８を参照して説明する。ただし、本実施形態の照明装置は、実施形態１の照明装置と基本的な構成が共通している。したがって、実施形態１の照明装置と共通の構成要素には同一の符号を付して説明を省略する。
【００８３】
本実施形態の照明装置において、副光源ブロック３は、電流バイパス部３２と、電流バイパス制御部３３とを備えることが好ましい。
【００８４】
電流バイパス部３２は、抵抗Ｒ８、Ｒ９とバイポーラトランジスタＱ３とで構成される。バイポーラトランジスタ（以下、トランジスタと略す。）Ｑ３は、ｎｐｎ型であって、コレクタに抵抗Ｒ９の一端が電気的に接続され、エミッタに抵抗Ｒ１１の一端とトランジスタＭ１のドレインが電気的に並列接続される。また、トランジスタＱ３のベースは、抵抗Ｒ８を介して整流部１の出力端子１１Ａと電気的に接続される。なお、抵抗Ｒ８の一端とコンデンサＣ１との間には、アノードを抵抗Ｒ８側としてダイオードＤ８が挿入される。
【００８５】
電流バイパス制御部３３は、抵抗Ｒ６、Ｒ７とバイポーラトランジスタＱ４とで構成される。バイポーラトランジスタ（以下、トランジスタと略す。）Ｑ４は、ｎｐｎ型であって、コレクタにトランジスタＱ３のベース及び抵抗Ｒ８の一端が電気的に並列接続される。トランジスタＱ４のエミッタには、トランジスタＱ３のエミッタと、抵抗Ｒ１１の一端と、トランジスタＭ１のドレインと、抵抗Ｒ６の一端とが電気的に並列接続される。トランジスタＱ４のベースには、抵抗Ｒ７の一端が電気的に接続される。抵抗Ｒ７の他端がコンデンサＣ１の一端と、副光源部３０の負極と、抵抗Ｒ６の他端とに電気的に並列接続される。
【００８６】
電流バイパス制御部３３は、抵抗Ｒ６に電流Ｉｆ３が流れているときにトランジスタＱ４をオンすることで電流バイパス部３２のトランジスタＱ３をオフし、電流Ｉｆ３が流れていないときにトランジスタＱ４をオフすることでトランジスタＱ３をオンする。電流バイパス部３２は、トランジスタＱ３がオンすることにより、定電流部３１を介して入力電流Ｉinを引き込むように構成される。ただし、電流バイパス制御部３３は、副光源部３０の両端電圧から電流Ｉｆ３の有無を判断してトランジスタＱ４をオン・オフするように構成されても構わない。電流バイパス制御部３３が上述のように構成されれば、抵抗Ｒ６が不要となって電力損失の低減を図ることができる。
【００８７】
次に、図７の回路構成図及び図８の波形図を参照して、本実施形態の照明装置の動作を説明する。ただし、以下に説明する動作は、整流部１の出力電圧（脈流電圧）の１周期、すなわち、交流電源４の電源電圧の半周期における動作であって、脈流電圧の１周期毎に繰り返される。
【００８８】
図８において、ＩＱ３は電流バイパス部３２のトランジスタＱ３に流れる電流を示し、Ｉｆ１は第１主光源部２０Ａに流れる電流を示し、Ｉｆ３は副光源部３０に流れる電流を示している。また、図８におけるＩinは、交流電源４から整流部１の入力端子１０Ａ、１０Ｂに流れ込む入力電流を示している。
【００８９】
時刻ｔ＝ｔ０は脈流電圧（交流電源４の電源電圧）のゼロクロス点であり、整流部１の出力電圧（脈流電圧）が０Ｖとなる。ゼロクロス点の近辺では、脈流電圧が副光源部３０の基準電圧Ｖｆ３（＝５０Ｖ）よりも低いため、交流電源４からの入力電流Ｉinは０Ａとなる。このとき、副光源部３０にはコンデンサＣ１の充電電荷の放電による電流Ｉｆ３が僅かに流れるが、抵抗Ｒ６には電流が流れない。よって、電流バイパス制御部３３のトランジスタＱ４がオフとなり、電流バイパス部３２のトランジスタＱ３がオンする。トランジスタＱ３がオンすると、抵抗Ｒ９とトランジスタＱ３を介して入力電流Ｉin（ＩＱ３）が引き込まれる。
【００９０】
整流部１の出力電圧が上昇して基準電圧Ｖｆ３を越えると（時刻ｔ＝ｔ１）、定電流部３１が動作し、副光源部３０に電流Ｉｆ３を流して点灯させる。また、電流Ｉｆ３が抵抗Ｒ６に流れることによって電流バイパス制御部３３のトランジスタＱ４がオンし、電流バイパス部３２のトランジスタＱ３がオフする。つまり、入力電流Ｉinが抵抗Ｒ９を流れないので、抵抗Ｒ９による損失がなくなる。
【００９１】
整流部１の出力電圧が上昇して基準電圧Ｖｆ１（＝１００Ｖ）を越えると（時刻ｔ＝ｔ２）、第１限流部２１Ａが動作し、第１主光源部２０Ａに電流Ｉｆ１を流して点灯させる。定電流部３１は、抵抗Ｒ１に電流Ｉｆ３と電流Ｉｆ１が流れることで停止する。ただし、副光源部３０は、コンデンサＣ１の充電電荷が放電している間、電流Ｉｆ３が流れて点灯する。
【００９２】
整流部１の出力電圧が上昇して基準電圧Ｖｆ１とＶｆ２の和（＝１２０Ｖ）を越えると（時刻ｔ＝ｔ３）、第２限流部２１Ｂが動作し、第１主光源部２０Ａと第２主光源部２０Ｂに電流Ｉｆ１、Ｉｆ２を流して点灯させる。第１限流部２１Ａ及び定電流部３１は、それぞれ抵抗Ｒ３、Ｒ１に電流Ｉｆ１と電流Ｉｆ２が流れることで停止する。
【００９３】
整流部１の出力電圧が最大値を過ぎて基準電圧Ｖｆ１とＶｆ２の和を下回ると（時刻ｔ＝ｔ４）、第２限流部２１Ｂが停止し、第１限流部２１Ａが動作する。第２限流部２１Ｂが停止しても、第２主光源部２０Ｂは、コンデンサＣ３の充電電荷の放電によって電流Ｉｆ２が流れて点灯する。また、第１限流部２１Ａが動作すると、交流電源４からの入力電流Ｉinにより、第１主光源部２０Ａに電流Ｉｆ１が流れて第１主光源部２０Ａが点灯する。
【００９４】
整流部１の出力電圧が下降して基準電圧Ｖｆ１を下回ると（時刻ｔ＝ｔ５）、第１限流部２１Ａが停止し、定電流部３１が動作する。第１限流部２１Ａが停止すると、コンデンサＣ２の充電電荷が放電されて第１主光源部２０Ａに継続して電流Ｉｆ１が流れる。また、定電流部３１が動作すると、交流電源４からの入力電流Ｉinにより、副光源部３０に電流Ｉｆ３が流れて副光源部３０が点灯する。
【００９５】
整流部１の出力電圧がさらに下降して基準電圧Ｖｆ３を下回ると（時刻ｔ＝ｔ６）、定電流部３１が停止する。定電流部３１が停止すると、コンデンサＣ１の充電電荷が放電されて第１主光源部２０Ａに継続して電流Ｉｆ１が流れる。また、定電流部３１が停止することで抵抗Ｒ６に電流が流れなくなるので、電流バイパス制御部３３のトランジスタＱ４がオフし、電流バイパス部３２のトランジスタＱ３をオンする。トランジスタＱ３がオンすることにより、抵抗Ｒ９とトランジスタＱ３を介して入力電流Ｉin（ＩＱ３）が引き込まれる。
【００９６】
上述のように、整流部１の脈流電圧（交流電源４の電源電圧）が基準電圧Ｖｆ３未満のときに、電流バイパス部３２が入力電流Ｉinを引き込む。その結果、本実施形態の照明装置は、実施形態１の照明装置と比較して、入力電流歪の低減を図ることができる。また、本実施形態の照明装置は、整流部１の脈流電圧が基準電圧Ｖｆ３以上のときに電流バイパス制御部３３が電流バイパス部３２を停止させるので、主光源ブロック２や副光源ブロック３の点灯時における無駄な電力消費を抑えることができる。さらに、位置表示灯付きの壁スイッチが接続された場合や、位相制御方式の調光器が接続された場合などにおいて、微弱な電流が流れ込むことで副光源ブロック３が微点灯することを回避できる。
【００９７】
上述のように本実施形態の照明装置において、副光源ブロック３は、副光源部３０に電流が流れない期間に、整流部１の出力端子１１Ａ、１１Ｂ間に電流を流すブリーダ部（電流バイパス部３２及び電流バイパス制御部３３）を有することが好ましい。ブリーダ部（電流バイパス部３２及び電流バイパス制御部３３）は、副光源部３０に電流が流れる期間に前記電流を流さないように構成されることが好ましい。本実施形態の照明装置が上述のように構成されれば、消費電力の増加を抑えつつ入力電流歪の低減を図ることができる。
【００９８】
（実施形態５）
本発明に係る照明装置の実施形態５について、図９及び図１０を参照して説明する。ただし、本実施形態の照明装置は、実施形態３の照明装置と基本的な構成が共通している。したがって、実施形態３の照明装置と共通の構成要素には同一の符号を付して説明を省略する。
【００９９】
本実施形態の照明装置は、主光源ブロック２及び副光源ブロック３に流れる電流のピークを抑制する抑制部２２を備える点に特徴がある。例えば、交流電源４の電源電圧が１０％増大し、脈流電圧の最大値（ピーク値）が１１０Ｖ×√２≒１５６Ｖに上昇した場合、主光源ブロック２及び副光源ブロック３に電流が流れる期間が増加して光量も増大する。
【０１００】
本実施形態の照明装置は、主光源ブロック２及び副光源ブロック３に流れる電流のピークを抑制部２２で抑制することにより、交流電源４の電源電圧上昇に伴う光量の増大を抑制することができる。
【０１０１】
抑制部２２は、図９に示すように、ツェナーダイオード２２０と、３つの抵抗２２１〜２２３とで構成される。ツェナーダイオード２２０のカソードは、第２限流部２１ＢのトランジスタＭ３のドレインと電気的に接続され、ツェナーダイオード２２０のアノードは、抵抗２２１の一端と電気的に接続される。２つの抵抗２２１、２２２は、ツェナーダイオード２２０のアノードとグランドとの間に電気的に直列接続される。抵抗２２３は、２つの抵抗２２１、２２２の接続点と、第２限流部２１ＢのシャントレギュレータＵ３のアノードとに電気的に直列接続される。
【０１０２】
図１０において、Ｖinは交流電源４の電源電圧を示し、Ｉｆ３は副光源部３０に流れる電流を示し、Ｉｆ１は第１主光源部２０Ａに流れる電流を示し、Ｉｆ２は第２主光源部２０Ｂに流れる電流を示している。
【０１０３】
交流電源４の電源電圧が上昇し、第２限流部２１ＢのトランジスタＭ３のドレイン電圧（グランドに対するドレインの電位。以下、同じ。）がツェナーダイオード２２０のツェナー電圧を超えると、ツェナーダイオード２２０が導通する。ツェナーダイオード２２０が導通することにより、抑制部２２が、第２限流部２１Ｂの抵抗Ｒ５の両端電圧を上昇させる。
【０１０４】
抵抗Ｒ５の両端電圧が抑制部２２によって上昇させられると、第２限流部２１ＢのシャントレギュレータＵ３が、出力電流を減少させる。ここで、第２限流部２１Ｂには、第２主光源部２０Ｂの電流Ｉｆ２だけでなく、第１主光源部２０Ａの電流Ｉｆ１と副光源部３０の電流Ｉｆ３も一緒に流れている。したがって、シャントレギュレータＵ３が出力電流を減少させると、図１０に示すように、それぞれの電流Ｉｆ１、Ｉｆ２、Ｉｆ３が全て減少することになる。
【０１０５】
上述のように本実施形態の照明装置において、主光源ブロック２及び副光源ブロック３に流れる電流のピークを抑制する抑制部２２を備えることが好ましい。本実施形態の照明装置は、主光源ブロック２及び副光源ブロック３に流れる電流のピークが抑制部２２で抑制されるので、交流電源４の電源電圧上昇に伴う光量の増大を抑制することができる。
【０１０６】
ところで、各実施形態１〜５の照明装置は、図１１に示すように、整流部１、主光源ブロック２、副光源ブロック３が１枚の実装基板６に実装されて構成されても構わない。実装基板６は、例えば、ガラス布ガラス不織布基材エポキシ樹脂銅張積層板により、長尺の矩形平板状に形成されることが好ましい。
【０１０７】
ここで、実施形態１〜５の照明装置において、最も高い基準電圧Ｖｆ１で点灯する第１主光源部２０Ａの電流が最も大きくなり、最も低い基準電圧Ｖｆ３で点灯する副光源部３０の電流が最も小さくなる。また、第１限流部２１Ａと電気的に並列接続される第２主光源部２０Ｂの電流が２番目に大きくなる。さらに、各光源部２０Ａ、２０Ｂ、３０のＬＥＤ２００Ａ、２０１Ａ、…が全ての同一の発光ダイオードで構成されているとすれば、電流が大きいＬＥＤ２００Ａ、２０１Ａ、…ほど、光量が多くなる。
【０１０８】
そこで、本実施形態の照明装置において、ＬＥＤアレイ（第１主光源部２０Ａ、第２主光源部２０Ｂ、副光源部３０）は、流れる電流が大きい程、発光ダイオード２００Ａ、２０１Ａ、…同士の間隔が広くなるように実装基板６に実装されることが好ましい。
【０１０９】
例えば、第１主光源部２０ＡのＬＥＤ２００Ａ、２０１Ａ、…同士の間隔をＰ１とし、第２主光源部２０ＢのＬＥＤ２００Ｂ、２０１Ｂ、…同士の間隔をＰ２とし、副光源部３０のＬＥＤ３００、３０１、…同士の間隔をＰ３とする（ただし、Ｐ３＜Ｐ２＜Ｐ１）。
【０１１０】
第１主光源部２０Ａは、最も広い間隔Ｐ１で実装基板６の長手方向の一端側（図１１における右側）に実装される。そして、第２主光源部２０Ｂは、間隔Ｐ２で実装基板６の長手方向の中央に実装される。さらに、副光源部３０は、最も狭い間隔Ｐ３で実装基板６の長手方向の他端側（図１１における左側）に実装される。なお、整流部１やヒューズ５などは、ＬＥＤ２００Ａ、２０１Ａ、…同士の間隔Ｐ１が最も広い箇所、すなわち、実装基板６の長手方向の右側に実装されることが好ましい。
【０１１１】
上述のように本実施形態の照明装置において、ＬＥＤアレイが実装される実装基板６を備えることが好ましい。前記ＬＥＤアレイは、流れる電流が大きい程、前記発光ダイオード２００Ａ、２０１Ａ、…同士の間隔Ｐ１〜Ｐ３が広くなるように実装基板６に実装されることが好ましい。
【０１１２】
本実施形態の照明装置が上述のように構成されれば、照明装置全体としての光むらを抑制することかできる。なお、ＬＥＤアレイ以外の電子部品（整流部１やトランジスタＭ１〜Ｍ３など）が白色の塗料でコーティングされれば、前記電子部品の黒色の樹脂パッケージによる光の吸収を抑えられ、光の取り出し効率が改善されるという利点がある。あるいは、実装基板６におけるＬＥＤアレイ以外の部分が、反射率が高く且つ難燃性の合成樹脂で覆われれば、安全性の向上を図ることができる。
【０１１３】
（実施形態６）
本発明に係る照明器具の実施形態について、図１２を参照して詳細に説明する。本実施形態の照明器具７は、天井に直付けされる矩形の器具本体７０と、３つの光源ユニット７１と、２つの反射板７２とで構成されることが好ましい。
【０１１４】
光源ユニット７１は、例えば、図１１に示した構造の照明装置と、実装基板６を保持する保持部材（図示せず）と、保持部材とともに実装基板６を覆うカバー７１０とを有する。各光源ユニット７１は、器具本体７０の下面に、間隔を空けて並ぶように取り付けられる。
【０１１５】
反射板７２は、矩形平板状の金属板が長手方向に沿って二つ折りされて構成され、隣り合う光源ユニット７１の間に配置されるように、器具本体７０の下面に取り付けられる。
【０１１６】
上述のように本実施形態の照明器具７は、照明装置（光源ユニット７１）と、照明装置を保持する器具本体７０とを備える。ただし、本発明に係る照明器具は、本実施形態の照明器具７に限定されず、他の構造の照明器具であっても構わない。
【符号の説明】
【０１１７】
１  整流部
２  主光源ブロック
３  副光源ブロック
１１Ａ  出力端子
１１Ｂ  出力端子
２０Ａ  第１主光源部（主光源部）
２０Ｂ  第２主光源部（主光源部）
２１Ａ  第１限流部（限流部）
２１Ｂ  第２限流部（限流部）
３０  副光源部
３１  定電流部
Ｃ２  コンデンサ
【図１】
0006355046.tif 000002
【図２】
0006355046.tif 000003
【図３】
0006355046.tif 000004
【図４】
0006355046.tif 000005
【図５】
0006355046.tif 000006
【図６】
0006355046.tif 000007
【図７】
0006355046.tif 000008
【図８】
0006355046.tif 000009
【図９】
0006355046.tif 000010
【図１０】
0006355046.tif 000011
【図１１】
0006355046.tif 000012
【図１２】
0006355046.tif 000013